(57)【要約】【課題】支障なく既存の自動販売機や既存の運搬用ケースに投入できる形状で且つ、バック、ベルトや洋服の係止可能な箇所であれば、どの箇所にも容易に係止できる係止片が形成された液体容器を提供することをを提供すること。【解決手段】液体容器の側面所定箇所に係止片３が設けられている係止片付液体容器１であって、前記液体容器は、少なくとも高さ方向の各断面外形状が、円形もしくは全ての内角が等しい多角形をなすように形成されている。【選択図】    図１
2005014925.tif 000002
【特許請求の範囲】
【請求項１】
液体容器の側面所定箇所に係止片が設けられている係止片付液体容器であって、前記液体容器は、少なくとも高さ方向の各断面外形状が、円形もしくは全ての内角が等しい多角形をなすように形成されていることを特徴とする係止片付液体容器。
【請求項２】
前記係止片は前記液体容器の一部が加工され、該係止片には支持部と挿入端部が形成されている請求項１に記載の係止片付液体容器。
【請求項３】
前記液体容器と、支持部と挿入端部とを有する前記係止片とは個々に形成され、互いに固着されている請求項１に記載の係止片付液体容器。
【請求項４】
前記係止片の支持部が上方に形成され、下方には挿入端部が形成されており、該支持部の断面形状が該挿入端部の断面形状より肉厚に形成されている請求項２又は３に記載の係止片付液体容器。
【請求項５】
前記係止片が弾性部材で形成されており、該係止片の裏側所定箇所に滑り止め用の凸部が形成されている請求項３又は４に記載の係止片付液体容器。
【請求項６】
前記液体容器の外周には、前記係止片の外周を被覆するようにラベルが装着され、該ラベルには、前記係止片が使用可能となるようにラベルの一部を破断するための破断線が形成されている請求項１ないし５のいずれかに記載の係止片付液体容器。
【発明の詳細な説明】
【０００１】
【発明の属する技術分野】
本発明は、飲料水や調味料等の容器として使用される液体容器に関する。
【０００２】
【従来の技術】
従来、飲料水や調味料等の液体容器は、自動販売機内でのスムースな落下移動が可能となるように液体容器の最大外周より突出するような突起部位ができないように形成されているため、自動販売機での取扱いが増し、消費者にとっては購入機会が格段に広がり手軽に購入できるとともに、商品を取り扱う業者にとっても、液体容器の各サイズの規格が一定しているため、ダンボール製や樹脂製等の運搬用ケースも特別に製作する必要がなく、これら運搬用ケースの使い廻しが可能になり経済的であった。
【０００３】
【発明が解決しようとする課題】
しかしながら、飲料水等の入った液体容器を自動販売機等で購入し、液体容器のまま長時間手に持って歩くにはその形状から持ち難いため、衣服のポケットやバッグ等の入れ物に入れるか、別売りの専用ケースに入れて持ち歩くしかなかった。
【０００４】
この場合も、衣服のポケットが液体容器より大きいサイズの時は入るものの、小さいサイズの時は手に持たなければならず、又、バッグ等の入れ物に入れる時は液体容器の結露でやバッグの中身が濡れるため、ビニール等に包むなどの処理を施さなければならず、不便さは残った。
【０００５】
別売りの専用ケースは、上述の不便さを解消するいろいろな製品が市販されているものの、登山やスポーツに使用する目的をもって購入することはあっても、日常的な生活に使用するために購入するには高額な品物であるばかりか、前記ケース内しか液体容器を収納できず、収納箇所が限定されていた。
【０００６】
本発明は、このような問題点に着目してなされたもので、支障なく既存の自動販売機や既存の運搬用ケースに投入できる形状で且つ、バック、ベルトや洋服の係止可能な箇所であれば、どの箇所にも容易に係止できる係止片が形成された液体容器を提供することを目的とする。
【０００７】
【課題を解決するための手段】
上記課題を解決するために、本発明の係止片付液体容器は、液体容器の側面所定箇所に係止片が設けられている係止片付液体容器であって、前記液体容器は、少なくとも高さ方向の各断面外形状が、円形もしくは全ての内角が等しい多角形をなすように形成されていることを特徴としている。
この特徴によれば、液体容器の係止片が容器の外面から部分的に外方に膨出しないように成形されているため、自動販売機に投入しても、自動販売機内でのスムースな落下移動が可能になるとともに、ダンボール製や樹脂製等の運搬用ケースも特別に製作する必要がなく、既存の運搬用ケースの使用が可能になり、経済的有効性が維持できる。
さらに、液体容器に係止片が設けられているので、衣服に大きなポケットがなくても、衣服のポケット、ベルトやバッグ等の係止可能な箇所であればどの箇所にも容易に液体容器を係止することできる。
【０００８】
本発明の係止片付液体容器は、前記係止片は前記液体容器の一部が加工され、該係止片には支持部と挿入端部が形成されていることが好ましい。
このようにすれば、液体容器の製造工程が簡素化できるとともに、堅牢な係止片が製造できる。
【０００９】
本発明の係止片付液体容器は、前記液体容器と、支持部と挿入端部とを有する前記係止片とは個々に形成され、互いに固着されていることが好ましい。
このようにすれば、係止片に使用する部材と液体容器本体の部材を異にすることができるため、係止片に使用する部材の強度によって多様な形状が可能になるばかりか、係止片の形状によって使用する部材を選択できる。
【００１０】
本発明の係止片付液体容器は、前記係止片の支持部が上方に形成され、下方には挿入端部が形成されており、該支持部の断面形状が該挿入端部の断面形状より肉厚に形成されていることが好ましい。
このようにすれば、衣服のポケット、ベルトやバッグ等の係止可能な箇所への挿入が容易にできるとともに、係止片の支持部が破損する恐れがない。
【００１１】
本発明の係止片付液体容器は、前記係止片が弾性部材で形成されており、該係止片の裏側所定箇所に滑り止め用の凸部が形成されていることが好ましい。
このようにすれば、衣服のポケット、ベルトやバッグ等の係止可能な箇所に確実、且つ強固に狭持できる。
【００１２】
本発明の係止片付液体容器は、前記液体容器の外周には、前記係止片の外周を被覆するようにラベルが装着され、該ラベルには、前記係止片が使用可能となるようにラベルの一部を破断するための破断線が形成されていることが好ましい。
このようにすれば、前記液体容器の販売前の流通過程では、前記係止片の隙間に塵等が付着しないため、前記係止片を清潔に保持することができるばかりか、前記係止片の破損も防止でき、前記係止片を利用したい時は、前記ラベルの破断線に沿って前記ラベルを取り除くことで、容易に前記係止片の利用が可能になる。
【００１３】
【発明の実施の形態】
以下、本発明の実施例を図面に基づいて説明するにあたり、正多角形の液体容器は、持ち易さ等の便宜性が重視され、通常、角部が面取りされた容器が多く流通されており、これら面取りされた容器も本発明の要旨を逸脱しない範囲に含まれることから、本実施例の係止片付液体容器も全ての内角が等しい多角形の角部が面取りされた液体容器を用いて説明する。
【００１４】
図１は本実施例１の係止片付液体容器の外観斜視図が示されており、係止片付液体容器１は、液体容器本体（本実施例では清涼飲料水用ペットボトルを用いて説明するため以下ペットボトル本体という）２と、係止片（以下フックという）３と、上部にキャップを有するそそぎ口４と、から構成されている。
【００１５】
又、ペットボトル本体２の形状は、正四角形の底部５と正四角柱状に形成された腰部６と、そそぎ口４を頂点とする正四角錐形に形成された肩部７とから構成されており、前記腰部６には、前記腰部６下段側面の外周より膨出しないように下向きのフック３が設けられている。
【００１６】
前記フック３は、薄くて細い挿入端部９と、前記腰部６の上部近傍に向けて前記挿入端部９より肉厚に形成された支持部１０と、から構成されており、この逆三角錐の形状は、ペットボトル本体２同様に中空成形され、溝８を介して前記腰部６上部と対峙するように一体成形されている。
【００１７】
図２は本実施例１の図１のＡ−Ａ矢視線が示されており、前述したように、係止片付液体容器１は、前記そそぎ口４と、前記底部５と、前記腰部６と、前記肩部７と、から構成されており、前記腰部６上段側面に前記フック３が設けられ、前記フック３との境にＶ字をなすように前記溝８が形成されている。
【００１８】
図３（ａ）は本実施例１の図１のＢ−Ｂ線の断面図が示されており、中空の正四角形に成形された前記肩部７の下部と、正四角形の前記底部５と、前記溝８の終端部１１と、から構成されおり、該終端部１１はペットボトル本体２と前記フック３との分岐部となっている。
【００１９】
図３（ｂ）は本実施例１の図１のＣ−Ｃ線の断面図が示されており、中空の略五角形に成形された前記腰部６上部のほぼ中央部と、正四角形の前記底部５と、溝８を介して対峙する略三角形に成形された前記フック３とから構成されており、中空の略五角形に成形された前記腰部６上部と、中空の略三角形に成形された前記フック３と、が溝８を介して対峙する外形状は正四角形に形成されている。
【００２０】
図３（ｃ）は本実施例１の図２のＤ−Ｄ線の断面図が示されており、ペットボトル本体２は、前記そそぎ口４と、中央部に凹部が形成された前記底部５と、前記腰部６上部と、前記肩部７と、から構成されており、前記腰部６上部の右側面は、前記腰部６の中央部より断面形状が斜め上方に逆Ｕ字状に前記溝８が形成され、その最上端部は前記溝８の前記終端部１１を形成している。
【００２１】
又、前記フック３の外壁部３′は、その外面が前記腰部６の外面上より外方に膨出しないように形成され、前記ペットボトル本体２と、前記フック３と、は一体成形されている。
【００２２】
上述のように、前記腰部６側面の外周断面形状は、高さ方向の各断面形状がいずれも正四角形を形成するようにフック３が設けられ、フック３が外方に部分的に膨出することがないため、自動販売機に投入しても、自動販売機内でのスムースな落下移動が可能になるとともに、ダンボール製や樹脂製等の運搬用ケースも特別に製作する必要がなく、既存の運搬用ケースの使用が可能になり、経済的有効性が維持できる。
【００２３】
さらに、この係止片付液体容器１は前記ペットボトル本体２にフック３が設けられているので、衣服に大きなポケットがなくても、衣服のポケット、ベルトやバッグ等の係止可能な箇所であればどの箇所にも容易に係止することできる。
【００２４】
又、前記ペットボトル本体２を構成する側面と前記フック３を構成する側面とは一体成形されているため、液体容器の製造工程が簡素化できるとともに、堅牢な前記フック３が製造できる。
【００２５】
前記フック３の支持部が上方に形成され、下方には挿入端部が形成されており、該支持部１０の断面形状が該挿入端部９の断面形状より肉厚に形成されているため、衣服のポケット、ベルトやバッグ等の係止可能な箇所への挿入が容易にできるとともに、前記フック３の支持部が破損する恐れがない。
【００２６】
図４（ａ）は正六角形ペットボトル本体のＣ−Ｃ線の断面図が示されており、中空の略七角形に成形されたペットボトル本体腰部１６ａのほぼ中央部と、正六角形の底部１５ａと、溝１７ａを介して対峙する略三角形に成形されたフック１８ａとから構成されおり、中空の略七角形に成形されたペットボトル本体腰部１６ａと、中空の略三角形に成形されたフック１８ａとが溝１７ａを介して対峙する外形状は正六角形に形成されている。
【００２７】
図４（ｂ）は正八角形ペットボトル本体のＣ−Ｃ線の断面図が示されており、中空の略七角形に成形されたペットボトル本体腰部１６ｂのほぼ中央部と、正八角形の底部１５ｂと、溝１７ｂを介して対峙する略三角形に成形されたフック１８ｂとから構成されおり、中空の略七角形に成形されたペットボトル本体腰部１６ｂと、中空の略三角形に成形されたフック１８ｂとが溝１７ｂを介して対峙する外形状は正八角形に形成されている。
【００２８】
図４（ｃ）は円形ペットボトル本体のＣ−Ｃ線の断面図が示されており、中空の逆Ｄ字状に成形されたペットボトル本体腰部１６ｃのほぼ中央部と、円形の底部１５ｃと、溝１７ｃを介して対峙するＤ字状に成形されたフック１８ｃとから構成されおり、中空の逆Ｄ字状に成形されたペットボトル本体腰部１６ｃと、中空のＤ字状に成形されたフック１８ｃとが溝１７ｃを介して対峙する外形状は円形に形成されている。
【００２９】
上述の図４（ａ）、（ｂ）、（ｃ）に図示されている各正多角形及び円形のペットボトルは、いずれも、前述の第１実施例に説明した係止片付液体容器１の各ペットボトル２とフック３との構成が同じであることから、その効果も同じく、自動販売機や既存のダンボール製や樹脂製等の運搬用ケースでも使用できる。
【００３０】
さらに、衣服のポケット、ベルトやバッグ等の係止可能な箇所であればどの箇所にも容易に係止することできるとともに、各ペットボトル本体と各フックとは一体成形されているため、各ペットボトルの製造工程が簡素化でき、堅牢なフックが製造できる。
【００３１】
又、図４（ａ）、（ｂ）、（ｃ）には図示されいないが、各フックの支持部と挿入端部は、前述の第１実施例と同じ様に支持部の断面形状を挿入端部の断面形状より肉厚に形成することによって、衣服のポケット、ベルトやバッグ等の係止可能な箇所への容易な挿入が可能になり、各フック３の支持部が破損する恐れがない。
【００３２】
図５（ａ）は本実施例２の係止片付液体容器１９の断面図が示されており、ペットボトル本体２０は、キャップを有するそそぎ口２１と、中央部に凹部が形成された底部２４と、四角柱の腰部２３と、前記そそぎ口２１を頂点とする四角錐の肩部２２と、から構成され、前記腰部２３の上部一角部から前記肩部２２の下部一角部にかけて平面状の切欠き部３０が形成されており、前記切欠き部３０の上端部にはフック取付部３０′が設けられている。
【００３３】
又、フック２５は上方に支持部２６と、下方に凸部２９を有する挿入部２８とから構成されており、フック２５の支持部２６が、ペットボトル本体２０の前記切欠き部３０の上端部のフック取付部３０′に、接着剤２７等を介して取り付けられている。なお、取付方法には、フック２５とペットボトル本体２０の材質によって、熱による溶着や融着などが一般的に行なわれる。
【００３４】
図５（ｂ）は本実施例２の図５のＥ−Ｅ線の断面図が示されており、中空の略五角形に成形された前記肩部２２と、該前記肩部２２下部の切欠き部３０と、正四角形の前記底部２４と、接着剤２７等を介して取り付けられているフック２５の支持部２６とから構成されており、中空の略五角形に成形された前記肩部２２下部と、略三角形に成形された前記フック２５の支持部２６と、の外形状は正四角形に形成されている。
【００３５】
図５（ｃ）は本実施例２の図５のＦ−Ｆ線の断面図が示されており、中空の略五角形に成形された前記腰部２３と、該前記腰部２３のほぼ上部の切欠き部３０と、正四角形の前記底部２４と、前記フック２５下方に凸部２９を有する挿入部２８と、から構成されており、中空の略五角形に成形された前記腰部２３のほぼ上部と、略三角形に成形された挿入部２８と、の外形状は正四角形に形成されている。
【００３６】
図５（ｂ）、（ｃ）に図示されているように、前記フック２５の前記支持部２６の断面形状が前記挿入部２８の断面形状より肉厚に形成されており、さらに、前記フック２５は弾性部材で形成されいる。
【００３７】
上述のように、前記腰部２３側面の外周断面形状は、高さ方向の各断面外形状がいずれも正四角形を形成するようにフック２５が設けられ、フック２５が外方に部分的に膨出することがないため、自動販売機に投入しても、自動販売機内でのスムースな落下移動が可能になるとともに、ダンボール製や樹脂製等の運搬用ケースも特別に製作する必要がなく、既存の運搬用ケースの使用が可能になり、経済的有効性が維持できる。
【００３８】
又、本実施例２の係止片付液体容器１９は、ペットボトル本体２０と、フック２５と、がそれぞれに成形されるため、ペットボトル本体２０に使用する部材とフック２５の部材とを別々の部材で成形でき、フック２５に使用する部材の強度によって多様な形状が可能になるばかりか、フック２５の形状が優先される場合は、その形状によって使用する部材を選択できる。
【００３９】
例えば、フック２５に使用する部材を強化プラスチック製や金属製にすることで、フック２５の強度は増すため、形状はより小さい形状が可能になり、さらに、係止片付液体容器１９に入れる食品等のイメージを損なわず、容器の全体的な形状に悪影響を及ぼさなければ、フック２５の色や形を変えることも容易にできる。
【００４０】
又、衣服のポケット、ベルトやバッグ等の係止可能な箇所であればどの箇所にも係止できることを優先させる、つまり、実用性を重要視するフック２５が求められる場合には、滑り止め用の凸部の形状を変えることで可能になる。
【００４１】
前記フック２５の前記支持部２６の断面形状が前記挿入部２８の断面形状より肉厚に形成され、さらに、前記フック２５は弾性部材で形成されているため、本実施例１の係止片付液体容器１と同様に、衣服のポケット、ベルトやバッグ等の係止可能な箇所への挿入が容易にできるとともに、前記フック２５の支持部が破損する恐れがなく、確実、且つ強固に狭持できる。
【００４２】
このように、フック２５を別途に形成し、ペットボトル本体２０に後付けすることで、フック２５に使用する部材の材質と形状との組み合わせが幾通りも実現でき、より優れた係止片付液体容器１９の提供が可能になる。
【００４３】
図６（ａ）は本実施例１の係止片付液体容器１に装着されるラベルの展開図が示されており、図６（ｂ）は本実施例１の係止片付液体容器１にラベルが装着された外観斜視図が示されており、図６（ｃ）は本実施例１の係止片付液体容器１にラベルの一部破断後の外観斜視図が示されている。
【００４４】
図６（ａ）は、ラベル３１と、該ラベル３１の取付時に前記フック３の下方に位置し横方向に設けられている破断線３２とから構成されており、このラベル３１には、上部を４等分されたスペース内に「絵模様」３３、「柑橘の絵」３４、「チョイがけ！！」３５、「オレンジ」３６の絵文字と、下部を４等分されたスペース内に「チョイがけ！！」３７、「果汁１００％」３８、「絵模様」３９、「ジュース」４０の文字が記載されている。
【００４５】
図６（ｂ）は、係止片付液体容器１の前記腰部６と、前記フック３とを被覆する図６（ａ）に図示している破断線３２を有するラベル３１とから構成されおり、ラベル３１の上部を破断線３２に沿って取り除くことで、図６（ｃ）に示されているように、前記フック３が利用可能の状態に露出するようになっている。
【００４６】
上述のように、係止片付液体容器１の前記ラベル３１は、前記腰部６と、前記フック３とを被覆するように取り付けられていることから、販売前の流通過程では、前記フック３の隙間に塵等が付着しないため、前記フック３を清潔に保持することができるばかりか、前記フック３の破損も防止できる。
【００４７】
又、係止片付液体容器に入った飲料水を購入した消費者は、後述する図７（ａ）、（ｂ）に示されているように、衣服のポケット、バッグ等の係止可能な箇所へ係止し、持ち運びたい時、つまり、前記フック３を利用したい時は、前記ラベル３１の破断線３２に沿って前記ラベル３１を取り除くことで容易に利用可能になる。
【００４８】
図７（ａ）、図７（ｂ）は本実施例１及び本実施例２の係止片付液体容器４１の利用例が示されており、ズボンのポケット４２のような小さな隙間にも、係止片付液体容器４１のフック４４を挿入することで容易に係止でき、散歩や長時間の移動時にも手に持たなくて良いため、少なくとも片手は開放される。
【００４９】
又、バッグの上方から内側４３にフック４４を差し込むだけでバッグの外側に係止片付液体容器４１を係止できるため、特に夏場の冷えた係止片付液体容器４１に発生する結露でバッグの中身が濡れることもなく、ビニール等に包むなどの処理を施さなくても良い。
【００５０】
なお、前記フック４４は、本実施例１及び本実施例２で説明した一体成形タイプと、ペットボトルの本体に後付けするタイプの両フックを含むものである。
【００５１】
また、本実施例１及び本実施例２に形成された、少なくとも高さ方向の各断面外形状が多角形となる液体容器の係止片（フック）は、上述のように液体容器の角部に設けられており、ズボンのポケットやバッグ等の被係止部に係止する際に、この係止片（フック）の両側の外面がズボンのポケットやバッグ等の被係止部の周囲に干渉しにくいことから、係止片（フック）を容易に係止でき、好ましいが、係止片（フック）は、少なくとも高さ方向の各断面外形状が多角形となる液体容器のいずれかの平面部（外面）に形成してもよい。
【００５２】
以上、本発明の実施例を図面により説明してきたが、具体的な構成はこれら実施例に限られるものではなく、本発明の要旨を逸脱しない範囲における変更や追加があっても本発明に含まれる。
【００５３】
例えば、本実施例の液体容器本体は清涼飲料水用ペットボトルを用いており、通常ペットボトルの材料は合成樹脂であるが、アルミや鉄、その他の金属製容器やガラス製容器やガラス繊維製容器や陶磁器製容器やパルプ製容器も本発明に含まれる。
【００５４】
例えば、本実施例では、係止片が正四角形の一角部に一箇所設けられているが、少なくとも高さ方向の各断面外形状が、円形もしくは全ての内角が等しい多角形をなすように形成されていれば、数箇所に設けられていても本発明に含まれる。
【００５５】
例えば、本実施例では、係止片付液体容器１に装着されるラベルに設けられる破断線がラベルのほぼ中央部横一文字に設けられ、さらにラベルの破断後は係止片付液体容器１の上部が完全に取り除かれているが、この破断線を設ける目的は、フックが利用可能になるようにラベルの一部を取り除くことであるため、フックの下方近傍にＵ字状、もしくはＶ字状に設けられていいても本発明に含まれる
【００５６】
【発明の効果】
本発明は以下の効果を奏する。
【００５７】
（ａ）請求項１項の発明によれば、液体容器の係止片が容器の外面から部分的に外方に膨出しないように成形されているため、自動販売機に投入しても、自動販売機内でのスムースな落下移動が可能になるとともに、ダンボール製や樹脂製等の運搬用ケースも特別に製作する必要がなく、既存の運搬用ケースの使用が可能になり、経済的有効性が維持できる。
さらに、液体容器に係止片が設けられているので、衣服に大きなポケットがなくても、衣服のポケット、ベルトやバッグ等の係止可能な箇所であればどの箇所にも容易に液体容器を係止することできる。
【００５８】
（ｂ）請求項２項の発明によれば、液体容器の製造工程が簡素化できるとともに、堅牢な係止片が製造できる。
【００５９】
（ｃ）請求項３項の発明によれば、係止片に使用する部材と液体容器本体の部材を異にすることができるため、係止片に使用する部材の強度によって多様な形状が可能になるばかりか、係止片の形状によって使用する部材を選択できる。
【００６０】
（ｄ）請求項４項の発明によれば、衣服のポケット、ベルトやバッグ等の係止可能な箇所への挿入が容易にできるとともに、係止片の支持部が破損する恐れがない。
【００６１】
（ｅ）請求項５項の発明によれば、衣服のポケット、ベルトやバッグ等の係止可能な箇所に確実、且つ強固に狭持できる。
【００６２】
（ｆ）請求項６項の発明によれば、前記液体容器の販売前の流通過程では、前記係止片の隙間に塵等が付着しないため、前記係止片を清潔に保持することができるばかりか、前記係止片の破損も防止でき、前記係止片を利用したい時は、前記ラベルの破断線に沿って前記ラベルを取り除くことで、容易に前記係止片の利用が可能になる。
【図面の簡単な説明】
【図１】本発明の係止片付液体容器に適用された本実施例１の係止片付液体容器の外観斜視図である。
【図２】本発明の係止片付液体容器に適用された本実施例１の図１のＡ−Ａ矢視図である。
【図３】（ａ）は本実施例１の図１のＢ−Ｂ線の断面図図である。
（ｂ）は本実施例１の図１のＣ−Ｃ線の断面図である。
（ｃ）は本実施例１の図２のＤ−Ｄ線の断面図である。
【図４】（ａ）は正六角形ペットボトル本体のＣ−Ｃ線の断面図である。
（ｂ）は正八角形ペットボトル本体のＣ−Ｃ線の断面図である。
（ｃ）は円形ペットボトル本体のＣ−Ｃ線の断面図である。
【図５】（ａ）は本実施例２の係止片付液体容器１９の断面図である。
（ｂ）は本実施例２の図５のＥ−Ｅ線の断面図である
（ｃ）は本実施例２の図５のＦ−Ｆ線の断面図である
【図６】（ａ）は本実施例１の係止片付液体容器１に装着されるラベルの展開図である。
（ｂ）は本実施例１の係止片付液体容器１にラベルが装着されたの外観斜視図である。
（ｃ）本実施例１の係止片付液体容器１にラベルの一部破断後の外観斜視図である。
【図７】（ａ）は本実施例１及び本実施例２の係止片付液体容器４１の利用例図である。
（ｂ）は本実施例１及び本実施例２の係止片付液体容器４１の利用例図である。
【符号の説明】
１        係止片付液体容器
２        ペットボトル本体
３        フック
３′      外壁部
４        そそぎ口
５        底部
６        腰部
７        肩部
８        溝
９        挿入端部
１０      支持部
１１      終端部
１５ａ    底部
１５ｂ    底部
１５ｃ    底部
１６ａ    ペットボトル本体腰部
１６ｂ    ペットボトル本体腰部
１６ｃ    ペットボトル本体腰部
１７ａ    溝
１７ｂ    溝
１７ｃ    溝
１８ａ    フック
１８ｂ    フック
１８ｃ    フック
１９      係止片付液体容器
２０      ペットボトル本体
２１      そそぎ口
２２      肩部
２３      腰部
２４      底部
２５      フック
２６      前記支持部
２６      支持部
２７      接着剤
２８      挿入部
２９      凸部
３０      切欠き部
３０′    フック取付部
３１      ラベル
３２      破断線
３３      「絵模様」
３４      「柑橘の絵」
３５      「チョイがけ！！」
３６      「オレンジ」
３７      「チョイがけ！！」
３８      「果汁１００％」
３９      「絵模様」
４０      「ジュース」
４１      係止片付液体容器
４２      ポケット
４３      内側
４４      フック
【図１】
2005014925.tif 000003
【図２】
2005014925.tif 000004
【図３】
2005014925.tif 000005
【図４】
2005014925.tif 000006
【図５】
2005014925.tif 000007
【図６】
2005014925.tif 000008
【図７】
2005014925.tif 000009